(57)【要約】【課題】  電源接続部の接続状態を検出し、ユーザーに報知することができるプロジェクタを提供する。【解決手段】  プロジェクタ１０は、画像入力装置１００から入力された画像データを投写するプロジェクタ１０であって、プロジェクタ１０に電力を供給する電源接続部と、電源スイッチ２２０と、電源スイッチ２２０を入力した時に、前記電源接続部の接続状態を検出するＯＮ／ＯＦＦ検出部２４０と、このＯＮ／ＯＦＦ検出部２４０の検出信号に基づき前記電源接続部の接続状態を報知する報知出力部２６０と、ＯＮ／ＯＦＦ検出部２４０と報知出力部２６０とに電力を供給するバッテリー２５０と、を備え、電源接続部の接続状態を検出し、ユーザーにスピーカー２７０またはＬＥＤランプ２９０で報知することができる。【選択図】      図１
2005234313.tif 000002
【特許請求の範囲】
【請求項１】
画像入力装置から入力された画像データを投写するプロジェクタであって、
前記プロジェクタに電力を供給する電源接続部と、電源スイッチと、
該電源スイッチを入力した時に、前記電源接続部の接続状態を検出する検出部と、
前記検出部の検出信号に基づき前記電源接続部の接続状態を報知する報知出力部と、
前記検出部と前記報知出力部とに電力を供給するバッテリーと、
を備えることを特徴とするプロジェクタ。
【請求項２】
請求項１に記載のプロジェクタにおいて、
前記報知出力部は、前記電源接続部が切断されているときに報知することを特徴とするプロジェクタ。
【請求項３】
請求項１または請求項２に記載のプロジェクタにおいて、
前記報知出力部が、スピーカー及びランプの少なくとも一つと、それらを制御する制御部から構成されていることを特徴とするプロジェクタ。
【請求項４】
画像入力装置から入力された画像データを投写するプロジェクタであって、
前記プロジェクタを遠隔操作するリモートコントローラと、
該リモートコントローラとプロジェクタ本体との通信を制御する通信制御部と、
前記プロジェクタ本体に電力を供給する電源接続部と、
前記リモートコントローラに設けられた電源入力スイッチが入力されたときに前記電源接続部の接続状態を検出する検出部と、
前記検出信号に基づき前記電源接続部の接続状態を報知する報知出力部と、
前記通信制御部と前記検出部と前記報知出力部とに電力を供給するバッテリーと、を備え、
前記報知出力部は、前記リモートコントローラ及び前記プロジェクタ本体の少なくともどちらか一方に備えられていることを特徴とするプロジェクタ。
【請求項５】
請求項４に記載のプロジェクタにおいて、
前記報知出力部は、前記電源接続部が切断されているとき、または、前記リモートコントローラと前記プロジェクタ本体との通信が確立されていないときに報知することを特徴とするプロジェクタ。
【請求項６】
請求項４または請求項５に記載のプロジェクタにおいて、
前記報知出力部が、スピーカー及びランプの少なくとも一つと、それらを制御する制御部から構成されることを特徴とするプロジェクタ。
【請求項７】
請求項１ないし請求項６のいずれか一項に記載のプロジェクタにおいて、
前記検出部が、前記電源接続部が接続されているときに、前記バッテリーを充電する充電制御部を備えることを特徴とするプロジェクタ。
【発明の詳細な説明】
【技術分野】
【０００１】
本発明は、電源接続状態を検出して報知するプロジェクタに関する。
【背景技術】
【０００２】
従来、プロジェクタは、外部からの商用交流電力をコンセント等を接続して取り入れ、プロジェクタに備えられている電源スイッチをＯＮすることで起動されるが、電源スイッチをＯＮしてから、電源が正常に入力されたことを示す電源表示ランプ、光源がウオームアップ開始したことを示す光源動作ランプ等を備え、これらのランプを点灯させることで、正常に電力が供給され、起動できたことが認識できるプロジェクタが知られている（例えば、特許文献１参照）。
【０００３】
また、プロジェクタをリモートコントローラで遠隔操作をする場合、プロジェクタ本体側に主電源スイッチと、リモートコントローラに光源起動（点灯）のための電源スイッチボタンとを備え、このリモートコントローラの電源スイッチボタンを押すことによって、光源ランプの点灯、消灯が繰り返されるプロジェクタも知られている（例えば、特許文献２参照）。
【０００４】
【特許文献１】特開２００３−２４８２６９号公報（第７頁、図１１）
【特許文献２】特開平１１−２９８８３０号公報（第１０頁、第１１頁、図９）
【発明の開示】
【発明が解決しようとする課題】
【０００５】
このような特許文献１では、電源スイッチをＯＮしてから、光源であるランプの切れ判定、光源以外のプロジェクタのシステムが動作を開始、冷却ファンモータを低速回転、光源電源装置ＯＮ、光源の不点灯判定等、の一連の動作が、格納されているプログラムに基づいて行われる。このような構成のプロジェクタでは、それぞれの動作が正常に機能しているかを確認する表示ランプが備えられているが、コンセント等による外部の商用交流電源との接続が切断されている状態の場合には、その状態をユーザーが認知するまでに、時間がかかってしまうということが考えられた。
【０００６】
また、特許文献２では、プロジェクタはリモートコントローラによって遠隔操作が行われ、リモートコントローラに備えられた電源スイッチボタンを操作することによって、光源ランプの点灯が行われるが、この際、プロジェクタ本体に電力が供給されていることでリモートコントローラとの通信が可能になるのであって、前述のように商用交流電源との接続が切断されていたり、主電源スイッチがＯＮされていない場合には、リモートコントローラの電源スイッチボタンを操作しても光源は点灯されず、その原因を把握するために時間を費やすというようなことも予測された。
【０００７】
本発明の目的は、電源接続部の接続状態を検出し、ユーザーに報知することができるプロジェクタを提供することである。
【課題を解決するための手段】
【０００８】
本発明のプロジェクタは、画像入力装置から入力された画像データを投写するプロジェクタであって、前記プロジェクタに電力を供給する電源接続部と、電源スイッチと、該電源スイッチを入力した時に、前記電源接続部の接続状態を検出する検出部と、前記検出部の検出信号に基づき前記電源接続部の接続状態を報知する報知出力部と、前記検出部と前記報知出力部とに電力を供給するバッテリーと、を備えることを特徴とする。
ここで、電源接続部とは、プロジェクタと外部の商用交流電源とを接続するコンセントや主電源スイッチの接続手段を示す。
【０００９】
一般に、プロジェクタで使用される光源としてのランプは、例えば、高圧水銀ランプ等の高輝度ランプが採用される。このようなランプは、電源スイッチがＯＮされてから所定の輝度に達して正常に電力供給が行われているかを認識できるまで多くの時間がかかる。本発明によれば、コンセント等の電源接続部の接続状態が検出部によって検出され、ユーザーは、その状態を報知出力部からの報知によって知ることができるため、電源接続部の接続状態を認識するまでの時間を大幅に短縮することができる。
また、検出部と報知出力部とは、バッテリーから電力が供給されるため、電源接続部が切断されているときでも機能することができる。
【００１０】
また、前記報知出力部は、前記電源接続部が切断されているときに報知することが好ましい。
【００１１】
このような構成のプロジェクタでは、電源スイッチをＯＮにしたときに、コンセントや、コンセントに最も近い主電源スイッチ等の電源接続部が切断されているときに報知するので、ユーザーは、その異常の状態をすぐに認識し、コンセントを挿着し、または、主電源スイッチをＯＮにして電力の供給を行い、プロジェクタを起動させることができる。
【００１２】
また、前記報知出力部が、スピーカー及びランプの少なくとも一つと、それらを制御する制御部から構成されていることが好ましい。
ここで、制御部としては、スピーカー制御部、ＬＥＤランプ点灯制御部を示す。
【００１３】
前述の報知出力部としては、スピーカー、ランプを採用することができる。スピーカーを採用する場合は、ユーザーに、ブザー音で報知することも、音声（例えば、合成音声など）で報知することができ、明確に電源接続状態を知ることができる。
また、例えば、接続の状態によって、スピーカーの場合はブザー報音の種類を変えたり、音声報知内容を変え、ランプの場合は発光色を変えて報知することができ、ユーザーは、電源接続状態を正確に認識することができる。
【００１４】
また、本発明のプロジェクタは、画像入力装置から入力された画像データを投写するプロジェクタであって、前記プロジェクタを遠隔操作するリモートコントローラと、該リモートコントローラとプロジェクタ本体との通信を制御する通信制御部と、前記プロジェクタ本体に電力を供給する電源接続部と、前記リモートコントローラに設けられた電源入力スイッチが入力されたときに前記電源接続部の接続状態を検出する検出部と、前記検出信号に基づき前記電源接続部の接続状態を報知する報知出力部と、前記通信制御部と前記検出部と前記報知出力部とに電力を供給するバッテリーとを備え、前記報知出力部は、前記リモートコントローラ及び前記プロジェクタ本体の少なくともどちらか一方に備えられていることを特徴とする。
ここで、プロジェクタ本体とリモートコントローラとの通信手段としては、無線通信や赤外線通信などのワイヤレス通信のほか、ケーブルによる有線通信を選択的に採用することができる。
【００１５】
この発明によれば、リモートコントローラに設けられた電源入力スイッチを押した時に、プロジェクタ本体の電源接続部（例えば、コンセント及び主電源スイッチ等を含む）の接続状態を検出し、その検出結果を報知出力部で報知する。従って、ユーザーは、リモートコントローラで遠隔操作を行う場合であっても、電源接続部の接続状態を認識することができる。
また、通信制御部と検出部と報知出力部とは、バッテリーから電力が供給されるので、電源接続部が切断されているときでも機能することができる。
この際、報知出力部は、ユーザーが認識しやすい場所であれば、プロジェクタ本体側に備えてもよく、また、リモートコントローラ側に備えてもよく、両方に備えることもできる。
【００１６】
また、前記報知出力部は、前記電源接続部が切断されているとき、または、前記リモートコントローラと前記プロジェクタ本体との通信が確立されていないときに報知することが好ましい。
【００１７】
この構成によれば、報知出力部は、電源接続部が切断されているときは勿論、通信が確立していないときに報知する。この際、例えば、前者と後者とでは、報知出力部の報知の仕方を変える（例えば、後述する音声の種類、ランプの点灯色等）ことで、ユーザーは、どちらの異常があるのかを明確に認識し、所望の状態に設定することができる。
【００１８】
また、前記報知出力部が、スピーカー及びランプの少なくとも一つと、それらを制御する制御部から構成されることが好ましい。
【００１９】
前述の構成によれば、リモートコントローラ側に報知出力部が備えられている場合にユーザーの手元で、音声（ブザー音を含む）、ランプの点灯で電源接続状態を認識することができ、ユーザーから離れた位置にプロジェクタ本体が設置されている場合であっても、音声の音量、ランプの輝度を好適に調整することで、ユーザーは、電源接続状態を認識することができる。
【００２０】
さらに、前述した発明の構成では、前記検出部が、前記電源接続部が接続されているときに、前記バッテリーを充電する充電制御部を備えることを特徴とするプロジェクタ。
ここで、バッテリーとしては、充電可能な二次電池が採用される。
【００２１】
従って、上述の構成によれば、電源接続部が接続されているときには、バッテリーが充電されるので、電源接続部が切断されているときでも検出部、通信制御部及び報知出力部に必要な電力を供給することができる。
【発明を実施するための最良の形態】
【００２２】
以下、本発明の実施の形態を図面に基づいて説明する。
図１〜図４は本発明の実施形態のプロジェクタが示されている。
【実施例１】
【００２３】
図１〜図２には実施例１のプロジェクタ１０が示されている。
図１は、本実施例１のプロジェクタ１０の概略構成を示すブロック図である。図１において、本実施例１のプロジェクタ１０は、基本構成として、従来のプロジェクタ構成部１１と、本実施例１で新たに備えられたプロジェクタ構成部１２と、が備えられている。さらに、プロジェクタ１０の外部に、画像データを入力する画像入力装置１００と画像が投写されるスクリーン４００とが備えられている。
【００２４】
従来のプロジェクタ構成部１１は、パーソナルコンピュータ、ビデオプレーヤー、ＰＣカードなどのメモリカード等の画像入力装置１００から画像入力信号をとり込み、アナログ信号をデジタル信号に変換するＡＤコンバータ２０、ビデオ信号をＲ，Ｇ，Ｂの画像信号に変換するビデオデコーダ３０と、これらＡＤコンバータ２０とビデオデコーダ３０から出力される画像信号を投写画像信号に変換処理を行う画像処理部５０と、Ｌ／Ｖ（ライトバルブ）８０と、Ｌ／Ｖ８０を駆動制御するＬ／Ｖ駆動部７０と、Ｌ／Ｖ８０から射出される画像をスクリーン４００に投写する投写光学系としての投写レンズ９０が備えられている。
【００２５】
画像処理部５０は、プロジェクタ構成部１１のシステム全体を制御するシステムＣＰＵ６０とともにメイン回路部４０を構成している。前述の画像入力装置１００から入力される画像入力信号をスクリーン４００に投写されるまでの動作は、図示しないが、内部に格納されたプログラムによって制御されている。
プロジェクタ構成部１１は、外部から商用交流電力が供給されて駆動されるが、プロジェクタ構成部１１からは電源線が延出され、その端部にコンセント２１０を有し、ＡＣ電源側のコンセント２００に挿着されることにより電力が供給される。
【００２６】
本発明で新たに備えられたプロジェクタ構成部１２は、電源スイッチ２２０が入力（ＯＮ）されたときに、電源接続部としてのコンセント２１０がＡＣ電源側のコンセント２００に挿着されてＡＣ電源がプロジェクタ構成部１１に接続されているか否かを検出し、検出信号を出力するＯＮ／ＯＦＦ検出部２４０と、その検出信号に基づきその情報を報知する報知出力部２６０と、ＯＮ／ＯＦＦ検出部２４０と報知出力部２６０とに電力を供給するバッテリー２５０と、電源接続部が接続されているときにバッテリー２５０を充電する充電制御部２５５と、を備えて構成されている。バッテリー２５０は、充電可能な二次電池が採用され、充電容量が大きなものが好ましい。
【００２７】
実施例１では、ＯＮ／ＯＦＦ検出部２４０は、図示しないがリレー回路等で構成することができ、電源スイッチ２２０をＯＮしても外部から電力が供給されていないときは、バッテリーから報知出力部２６０に電力を供給してその情報に基づきスピーカー２７５から放音し、またはＬＥＤランプ２９０を点灯して報知する。また、電力が供給されているときは、報知出力部２６０にはバッテリー２５０からの電力を供給しないように構成されている。
【００２８】
また、報知出力部２６０は、スピーカー２７５の駆動制御を行うスピーカー制御部２７０と、ＬＥＤランプの点灯制御を行うＬＥＤランプ点灯制御部２８０とをさらに備えている。スピーカー２７５では、スピーカー制御部２７０から出力される信号に基づき音声やブザー音で報知し、ＬＥＤランプ２９０では、ＬＥＤランプ点灯制御部２８０から出力される信号に基づき赤色や緑色等の発光色で報知する。この際、電源接続部が切断されていることを報知する。なお、本実施例１では、スピーカー２７５とＬＥＤランプ２９０を備えているが、どちらか一方を備えていれば本発明の目的を達成することができる。また、切り換えスイッチを設け、スピーカー２７５とＬＥＤランプ２９０を切り換えて使用することもできる。
【００２９】
続いて、実施例１の動作フローについて、図２を参照して説明する。ここでは、電源接続部の接続状態を検出して報知するという本発明の特徴とする部分について説明し、従来のプロジェクタ構成部１１の動作については説明を省略する。
図２は、本実施例１の動作を示すフローチャートである。図１も参照して説明する。図２において、まず、ＯＮ／ＯＦＦ検出部２４０が、電源スイッチ２２０がＯＮされたかどうかを検出する（ＳＴ１）。ここで、ＯＮ／ＯＦＦ検出部２４０が、電源スイッチ２２０がＯＮされたことを検出していない（ＮＯ）ときには、元に戻って待機する。電源スイッチがＯＮされたことを検出した（ＹＥＳ）ときには、コンセント２１０がＡＣ電源側のコンセント２００に接続されているか、即ち、電力が供給されているかどうかを検出する（ＳＴ２）。接続されている（ＹＥＳ）と検出された場合は、プロジェクタ１０（プロジェクタ構成部１１）を起動させる（ＳＴ４）。
【００３０】
接続されていない（ＮＯ）と検出された場合は、スピーカー制御部２７０に信号を入力してスピーカー２７５から音声またはブザー音で報知する（ＳＴ３）。スピーカー２７５による報知としては、例えば、音声で「電源が接続されていません」とか、警告音を発する等、自在に設定することができる。この後、ＳＴ１に戻って、ユーザーがコンセントを接続した後、電源スイッチをＯＮすると、コンセント接続検出（ＳＴ２）以降をくりかえし、プロジェクタ１０（プロジェクタ構成部１１）の起動（ＳＴ４）に進む。
【００３１】
ここで、ＳＴ３において、この報知を受けたユーザーはコンセント２１０をＡＣ電源側のコンセント２００に接続する。コンセントの接続が完了すると電力が供給されプロジェクタ１０が起動するように動作してもよい。この際、スピーカー２７５から「電源が接続されました」というように報知すればなお良い。
なお、上述のフローは、スピーカー２７５による報知を例にして説明したが、ＬＥＤランプ２９０で報知する場合も同じステップであるので説明を省略する。
【００３２】
従って、実施例１では、電源接続部（コンセント２１０，２００）の接続状態がＯＮ／ＯＦＦ検出部２４０によって検出され、ユーザーは、その状態をスピーカー２７５またはＬＥＤランプ２９０が報知することによって認識することができ、電源接続部を接続し、直ちにプロジェクタを起動できる状態にすることができる。このことによって、ユーザーが電源接続部の状態を認識し、電源接続をしてプロジェクタを起動させるまでの時間を大幅に短縮することができる。
【００３３】
また、報知出力手段としてスピーカー２７５を採用する場合は、ユーザーに、ブザー音で報知することも、音声（例えば、合成音声など）で報知することもでき、ユーザーは電源接続状態を明確に知ることができる。
さらに、スピーカー音量を好適に設定したり、ＬＥＤランプ２９０をプロジェクタ１０の筐体（図示せず）から突出させるなどユーザーが見やすい位置に設置すれば、ユーザーがプロジェクタ１０から離れた位置にいても、電源接続状態を認識することができる。
【００３４】
一方、電源接続部の接続の状態によって、ブザー報音の周波数を変えたり、音声報知内容を変えたりすれば、電源が接続されているか、いないか、即ち、電力が供給されているか、いないか等、電源接続状態を容易に識別することができる。例えば上記の実施例１において、電源が接続されているときは音声で「電源は接続されています」と報知するようにしてもよい。ＬＥＤランプ２９０を使用する場合は、電源が接続されていないときは発光色を赤色にし、接続されているときは発光色を緑色にすることにより電源接続状態を識別することができる。
【実施例２】
【００３５】
図３、図４には、本発明の実施例２のプロジェクタが示されている。
図３は、本実施例２のプロジェクタ１０の概略構成を示すブロック図である。実施例２は、プロジェクタ本体１３を遠隔操作するためのリモートコントローラ３００を備えていることを特徴にしており、画像投写に関わる構成は実施例１と同じであるため詳しい説明を省略し、同じ機能を有する部材の符号を共通にしている。また、本実施例２は、報知手段としてスピーカーによる報知を例にあげ説明する。図３において、プロジェクタ１０には、基本構成として、プロジェクタ本体１３と、プロジェクタ本体１３を赤外線通信によって遠隔操作するリモートコントローラ３００が備えられている。さらに、プロジェクタ１０の外部に、画像データを入力する画像入力装置１００と画像が投写されるスクリーン４００とが備えられている。
【００３６】
プロジェクタ本体１３は、画像入力装置１００から画像入力信号をとり込み、アナログ信号をデジタル信号に変換するＡＤコンバータ２０と、ビデオ信号をＲ，Ｇ，Ｂの画像信号に変換するビデオデコーダ３０と、これらＡＤコンバータ２０とビデオデコーダ３０から出力される画像信号を投写画像信号に変換処理を行う画像処理部５０と、Ｌ／Ｖ（ライトバルブ）８０と、Ｌ／Ｖ８０を駆動制御するＬ／Ｖ駆動部７０と、Ｌ／Ｖ８０からの画像をスクリーン４００に投写する投写光学系としての投写レンズ９０が備えられている。
【００３７】
画像処理部５０は、プロジェクタ本体１３のシステム全体を制御するシステムＣＰＵ６０とともにメイン回路部４０を構成している。前述の画像入力装置１００から入力される画像入力信号をスクリーン４００に投写されるまでの動作は、図示しないが、内部に格納されたプログラムによって制御されている。
【００３８】
プロジェクタ本体１３には、リモートコントローラ３００からの赤外線を取り入れる受光部３３０と、リモートコントローラ３００に赤外線を出射する発光部３３５と、受光部３３０と発光部３３５とを制御する通信制御部３４０と、プロジェクタ本体１３への電力供給のＯＮ／ＯＦＦを行う主電源スイッチ２２５と、コンセント２１０と、主電源スイッチ２２５のＯＮ／ＯＦＦ状態及びコンセント２１０がＡＣ電源側のコンセント２００に接続されているかを検出するＯＮ／ＯＦＦ検出部２４０と、ＯＮ／ＯＦＦ検出部２４０の検出信号に基づき音声を報知する報知出力部２６０と、ＯＮ／ＯＦＦ検出部２４０と通信制御部３４０と報知出力部２６０とに電力を供給するバッテリー２５０と、このバッテリー２５０を充電する充電制御部２５５と、をさらに備える。
【００３９】
報知出力部２６０は、音声を出力するスピーカー２７５と、スピーカー２７５を制御するスピーカー制御部２７０と、から構成されている。
なお、報知出力部２６０は、プロジェクタ本体１３がビデオプレーヤー等の音声を出力するためのスピーカーやスピーカー制御部を備えている場合は兼用することができる。
【００４０】
プロジェクタ本体１３を遠隔操作するリモートコントローラ３００は、プロジェクタ本体１３と赤外線通信を行うための発光部３２０と受光部３２５と、発光部３２０及び受光部３２５とを制御する通信制御部３１５と、通信制御部３１５からの信号を入力し音声を報知するスピーカー２７６とスピーカー２７６を制御するスピーカー制御部２７１とを備える報知出力部２６５と、操作部３１０と、が備えられ、操作部３１０には少なくとも電源入力スイッチ３０５が設けられている。
【００４１】
続いて、この実施例２の動作フローについて図４を参照して説明する。ここでは、リモートコントローラ３００を操作し、プロジェクタ本体１３の電源接続部の接続状態を検出して報知するという本実施例２の特徴とする部分について説明し、従来のプロジェクタ構成部１１の動作については説明を省略する。図４において、左側にプロジェクタ本体１３の動作フローが示され、右側にリモートコントローラ３００の動作フローが示されている。図３も参照して説明する。
【００４２】
まず、リモートコントローラ３００の通信制御部３１５は、電源入力スイッチ３０５が押されたかどうかを検出する（ＳＴ１０）。ここで、電源スイッチ２２０が押されたことを検出していない（ＮＯ）ときには、元に戻って待機する。電源入力スイッチが入力されたことを検出する（ＹＥＳ）と、プロジェクタ本体１３に対して電源入力命令が発光部３２０から送信される（ＳＴ１１）。プロジェクタ本体１３は、この信号を受光部３３０で受信し（ＳＴ１２）、受信できたことを発光部３３５からリモートコントローラ３００の受光部３２５に送信する（ＳＴ１３）。これを受光部３２５で受信し（ＳＴ１４）、プロジェクタ本体１３とリモートコントローラ３００との通信が確立されていることを判定し（ＳＴ１５）、通信が確立されていない場合は、電源入力スイッチ３０５の状態検出（ＳＴ１０）に戻る。通信が確立されたと判定した場合は、次のプロジェクタ本体１３からの信号待機状態となっている。
【００４３】
プロジェクタ本体１３側は、リモートコントローラ３００からの電源入力命令を受信すると、ＯＮ／ＯＦＦ検出部２４０で、主電源スイッチ２２５がＯＮされているか、コンセント２１０がＡＣ電源側のコンセント２００に接続されているかを検出する（ＳＴ１６）。この際、主電源スイッチ２２５がＯＮされていない、またはコンセント２１０が接続されていない場合は、その状態をリモートコントローラ３００に送信する（ＳＴ１７）。リモートコントローラ３００は、その信号を受信する（ＳＴ１８）と、スピーカー２７６から、例えば、「電源が接続されていません」というような音声報知や、ブザー音でユーザーにプロジェクタ本体側の電源が接続されていないことを報知する（ＳＴ１９）。ユーザーは、その報知情報に基づき、コンセント接続及び主電源スイッチをＯＮさせる。
この際、プロジェクタ本体１３を起動してもよいが、再度、ＳＴ１０からＳＴ１６までのステップを繰り返してもよい。ＳＴ１６において、プロジェクタ本体１３の電源接続部が接続されていると検出されると、プロジェクタ本体１３は起動される（ＳＴ２０）。
【００４４】
なお、リモートコントローラ３００とプロジェクタ本体１３との両方のスピーカー２７６，２７５から報知しても、どちらか一方で報知することも選択できる。プロジェクタ本体１３のみから報知する場合は、ユーザーが認識できる程度の音量に設定されることが好ましい。
【００４５】
本実施例２では、報知手段をスピーカーを例にあげ説明したが、リモートコントローラ３００にＬＥＤランプ及びＬＥＤランプ点灯制御部（図示せず）を備え、ＬＥＤランプを点灯することによって報知することができる。
また、本実施例２では、プロジェクタ本体１３の電源接続ができていないときに報知するようにしているが、前述の実施例１で示したように電源接続が行われているときでも報知するようにしても良い。
【００４６】
従って、本実施例２において、リモートコントローラ３００に設けられた電源入力スイッチ３０５をＯＮ（入力）した時に、プロジェクタ本体１３の電源接続部（コンセント２１０，２００の接続及び主電源スイッチ）の状態が検出され、リモートコントローラ３００に備えられるスピーカー２７６またはプロジェクタ本体１３に備えられるスピーカー２７５で報知する。ユーザーは、リモートコントローラ３００でプロジェクタ本体１３を遠隔操作を行う場合において、電源接続部の接続状態を認識し、直ちに電源接続部を接続してプロジェクタ本体１３を起動することができ、起動時間の無駄を減ずることができる。
【００４７】
また、実施例２によれば、電源接続部が切断されているときは勿論、通信が確立していないときでもユーザーに報知することができる。リモートコントローラ３００は、赤外線通信でプロジェクタ本体１３を遠隔操作するが、赤外線通信の場合、通信が確立していないことが考えられる。このとき、通信が確立していないことをユーザーに報知することで、電源接続部が切断状態か、通信が確立されていないかを認識し、正常な状態に素早く戻すことができる。プロジェクタの光源は、前述したように高圧水銀ランプ等が採用されるため、電源が入力されてから、画像の投写が行われるまでの時間が多くかかるが、プロジェクタが起動していないことを素早く認識できるという効果がある。
【００４８】
また、実施例２では、ＯＮ／ＯＦＦ検出部２４０と通信制御部３４０と報知出力部２６０は、バッテリー２５０から電力が供給されているので、電源接続部が接続されていないときでも機能することができ、さらに、電源接続部が接続されているときは、バッテリー２５０が充電されているため、何時でも電力を供給することができる。
【００４９】
なお、本発明は前述の実施例に限定されるものではなく、本発明の目的を達成できる範囲での変形、改良等は本発明に含まれるものである。
例えば、前述の実施例１及び実施例２では、報知手段としてスピーカーとＬＥＤランプを例にあげ説明したが、報知手段としては、プロジェクタ側またはリモートコントローラ側に液晶表示装置を備えてアイコンや文字で報知することができる。
【００５０】
また、前述の実施例２では、プロジェクタ本体１３とリモートコントローラ３００との通信は、赤外線通信で行われているが、無線通信でもケーブルによる有線通信でも限定されるものではなく、無線通信の場合は赤外線通信に比べ指向性が小さいので距離が離れていても通信確立ができ、有線の場合は通信の信頼性が高まるという効果がある。
【００５１】
従って、前述の実施例１及び実施例２によれば、電源接続部の接続状態を検出し、スピーカーやＬＥＤランプでユーザーに報知し、電源接続に関わる異常を素早く是正し、プロジェクタを起動させるプロジェクタを提供することができる。
【図面の簡単な説明】
【００５２】
【図１】本発明の本実施例１に係るプロジェクタの概略構成を示すブロック図。
【図２】本発明の本実施例１に係るプロジェクタの動作を示すフローチャート。
【図３】本発明の本実施例２に係るプロジェクタの概略構成を示すブロック図。
【図４】本発明の本実施例２に係るプロジェクタの動作を示すフローチャート。
【符号の説明】
【００５３】
１０…プロジェクタ、１００…画像入力装置、２１０…コンセント、２２０…電源スイッチ、２２５…主電源スイッチ、２４０…ＯＮ／ＯＦＦ検出部、２５０…バッテリー、２５５…充電制御部、２６０，２６５…報知出力部、２７５，２７６…スピーカー、２９０…ＬＥＤランプ、３００…リモートコントローラ、３０５…電源入力スイッチ、３１５，３４０…通信制御部。
【図１】
2005234313.tif 000003
【図２】
2005234313.tif 000004
【図３】
2005234313.tif 000005
【図４】
2005234313.tif 000006